(57)【要約】      （修正有）【課題】拡張アイドルモード間欠受信（ｅＤＲＸ）モードにあるモバイル端末へのモバイル着信（ＭＴ）ショートメッセージ（ＳＭ）の配信を容易にする。【解決手段】モビリティ管理ノードは、現在ｅＤＲＸモードにあるモバイル端末へＳＭが配信されることになるという指示をショートメッセージサービスゲートウェイモバイルスイッチングセンター（ＳＭＳ−ＧＭＳＣ）から受信した場合、ページングオケージョンが発生する前にモバイル端末がｅＤＲＸモードを出たという通知を受信すると、通知に応答して、モバイル端末がＳＭの配信のために利用可能であることをＳＭＳ−ＧＭＳＣに示すメッセージをサブミットする。【選択図】図３
2020065266.tif 000002
【特許請求の範囲】
【請求項１】
現在拡張アイドルモード間欠受信（ｅＤＲＸ）モードにあるモバイル端末（１０）へのモバイル着信（ＭＴ）ショートメッセージ（ＳＭ）の配信を可能にするモビリティ管理ノード（２０）の方法であって、
前記ＳＭが配信されることになるという指示をショートメッセージサービスゲートウェイモバイルスイッチングセンター（４０）（ＳＭＳ−ＧＭＳＣ）から受信すること（Ｓ１０１）と、
ページングオケージョンが発生する前に前記モバイル端末（１０）が前記ｅＤＲＸモードを出たという通知を受信すること（Ｓ１０２）と、
前記通知に応答して、前記モバイル端末（１０）が前記ＳＭの配信のために利用可能であることを前記ＳＭＳ−ＧＭＳＣ（４０）に示すメッセージをサブミットすること（Ｓ１０３）と
を含む、方法。
【請求項２】
前記メッセージが、前記ＳＭＳ−ＧＭＳＣ（４０）に直接サブミットされる、請求項１に記載の方法。
【請求項３】
前記メッセージが、ホームサブスクリプションサーバ（５０）（ＨＳＳ）を介して前記ＳＭＳ−ＧＭＳＣにサブミットされる、請求項１に記載の方法。
【請求項４】
前記ＨＳＳを介して前記ＳＭＳ−ＧＭＳＣにサブミットされる前記メッセージが、前記ＳＭＳ−ＧＭＳＣに前記モビリティ管理の宛先アドレスを提供させるための前記ＨＳＳへの命令をさらに含む、請求項３に記載の方法。
【請求項５】
前記通知が、前記モバイル端末（１０）から受信される（Ｓ１０２）非アクセス層（ＮＡＳ）要求である、請求項１から４のいずれか一項に記載の方法。
【請求項６】
前記モバイル端末（１０）への配信のための前記ＳＭを前記ＳＭＳ−ＧＭＳＣ（４０）から受信すること（Ｓ１０４）
をさらに含む、請求項１から５のいずれか一項に記載の方法。
【請求項７】
前記通知が、前記モバイル端末（１０）のサービングモビリティ管理ノード（３０）から受信される（Ｓ１０２ｂ）コンテキスト要求であり、前記方法が、
前記ＳＭが配信されることになるという指示を含むコンテキスト応答を前記サービングモビリティ管理ノード（３０）にサブミットすること（Ｓ１０２ｃ）と、
ＳＭ配信のための前記サービングモビリティ管理ノード（３０）の宛先アドレスを含むコンテキスト肯定応答を前記サービングモビリティ管理ノード（３０）から受信すること（Ｓ１０２ｄ）とをさらに含み、前記サブミットされる（Ｓ１０３）メッセージが、前記サービングモビリティ管理ノード（３０）の前記宛先アドレスをさらに含む、
請求項１から３のいずれか一項に記載の方法。
【請求項８】
前記通知が、前記モバイル端末のサービングモビリティ管理ノード（３０）から受信される（Ｓ１０２ｂ）コンテキスト要求であり、
前記メッセージが、コンテキスト応答（Ｓ１０２ｃ）中で前記サービングモビリティ管理ノード（３０）を介して前記ＳＭＳ−ＧＳＭＣ（４０）にサブミットされ（Ｓ１０３ａ）、前記ＳＭＳ−ＧＳＭＣ（４０）の宛先アドレスをさらに含む、請求項１から３のいずれか一項に記載の方法。
【請求項９】
前記ＳＭが配信されることになるというＳＭＳ−ＧＭＳＣ（４０）からの指示を受信すること（Ｓ１０１）は、
前記ＳＭがすぐに配信され得ない場合、前記ＳＭＳ−ＧＭＳＣ（４０）がどのくらいの時間の間前記ＳＭを記憶することになるかを指定する最大再送信時間の指示と、前記ＳＭを配信するためのモバイル端末利用可能性の後続の通知を受信することを前記ＳＭＳ−ＧＭＳＣ（４０）がサポートするかどうかを示す能力指示とを、受信すること（Ｓ１０１ａ）
を含み、前記方法は、
前記ＳＭがどの時点において前記ＳＭＳ−ＧＭＳＣ（４０）によって再送信されなければならないかを示す要求される再送信時間と、前記モビリティ管理ノード（２０）が前記ＳＭを配信するためのモバイル端末利用可能性の前記後続の通知をサポートするという能力確認とを含む指示を前記ＳＭＳ−ＧＭＳＣ（４０）にサブミットすること（Ｓ１０１ｂ）
をさらに含む、
請求項１から８のいずれか一項に記載の方法。
【請求項１０】
現在拡張アイドルモード間欠受信（ｅＤＲＸ）モードにあるモバイル端末（１０）へのモバイル着信（ＭＴ）ショートメッセージ（ＳＭ）の配信を可能にするモビリティ管理ノード（３０）の方法であって、
ページングオケージョンが発生する前に前記モバイル端末（１０）が前記ｅＤＲＸモードを出たという通知を受信すること（Ｓ１０２ａ）と、
前記通知が受信される前に前記モバイル端末（１０）がそれによってサーブされた別のモビリティ管理ノード（２０）にコンテキスト要求をサブミットすること（Ｓ１０２ｂ）と、
前記ＳＭが配信されることになるという指示を含むコンテキスト応答を前記別のモビリティ管理ノード（２０）から受信すること（Ｓ１０２ｃ）と、
前記モバイル端末（１０）への配信のための前記ＳＭをＳＭＳ−ＧＭＳＣ（４０）から受信すること（Ｓ１０５）と
を含む、方法。
【請求項１１】
前記メッセージが、前記ＳＭＳ−ＧＭＳＣ（４０）に直接サブミットされる、請求項１０に記載の方法。
【請求項１２】
前記メッセージが、ホームサブスクリプションサーバ（ＨＳＳ）を介して前記ＳＭＳ−ＧＭＳＣ（４０）にサブミットされ、前記ＨＳＳを介して前記ＳＭＳ−ＧＭＳＣにサブミットされる前記メッセージが、前記ＳＭＳ−ＧＭＳＣに前記モビリティ管理の宛先アドレスを提供させるための前記ＨＳＳへの命令をさらに含む、請求項１０に記載の方法。
【請求項１３】
サブミットされる前記メッセージは、前記モバイル端末が前記ｅＤＲＸモードに再び入るまでの時間を指定する時間期間をさらに示す、請求項１０、１１または１２のいずれか一項に記載の方法。
【請求項１４】
現在拡張アイドルモード間欠受信（ｅＤＲＸ）モードにあるモバイル端末（１０）へのモバイル着信（ＭＴ）ショートメッセージ（ＳＭ）の配信を可能にするように設定されたモビリティ管理ノード（２０）であって、処理ユニット（２１）と、前記処理ユニットによって実行可能な命令（２２）を含んでいるメモリ（２３）とを備え、
前記ＳＭが配信されることになるという指示をショートメッセージサービスゲートウェイモバイルスイッチングセンター（４０）（ＳＭＳ−ＧＭＳＣ）から受信することと、
ページングオケージョンが発生する前に前記モバイル端末（１０）が前記ｅＤＲＸモードを出たという通知を受信することと、
前記通知に応答して、前記モバイル端末（１０）が前記ＳＭの配信のために利用可能であることを前記ＳＭＳ−ＧＭＳＣ（４０）に示すメッセージをサブミットすることと
を行うように動作可能である、モビリティ管理ノード（２０）。
【請求項１５】
前記ＳＭＳ−ＧＭＳＣ（４０）に前記メッセージを直接サブミットするように動作可能である、請求項１４に記載のモビリティ管理ノード（２０）。
【請求項１６】
ホームサブスクリプションサーバ（５０）（ＨＳＳ）を介して前記ＳＭＳ−ＧＭＳＣに前記メッセージをサブミットするように動作可能である、請求項１４に記載のモビリティ管理ノード（２０）。
【請求項１７】
前記ＨＳＳ（５０）を介して前記ＳＭＳ−ＧＭＳＣ（４０）にサブミットされるメッセージ中で前記ＳＭＳ−ＧＭＳＣ（４０）に前記モビリティ管理の宛先アドレスを提供させるための前記ＨＳＳ（５０）への命令を含むようにさらに動作可能である、請求項１６に記載のモビリティ管理ノード（２０）。
【請求項１８】
前記通知が、前記モバイル端末（１０）から受信される非アクセス層（ＮＡＳ）要求である、請求項１４から１７のいずれか一項に記載のモビリティ管理ノード（２０）。
【請求項１９】
前記通知が、前記モバイル端末（１０）のサービングモビリティ管理ノード（３０）から受信される（Ｓ１０２ｂ）コンテキスト要求であり、前記モビリティ管理ノード（２０）は、
前記ＳＭが配信されることになるという指示を含むコンテキスト応答を前記サービングモビリティ管理ノード（３０）にサブミットすることと、
ＳＭ配信のための前記サービングモビリティ管理ノード（３０）の宛先アドレスを含むコンテキスト肯定応答を前記サービングモビリティ管理ノード（３０）から受信することとを行うようにさらに動作可能であり、前記サブミットされる（Ｓ１０３）メッセージが、前記サービングモビリティ管理ノード（３０）の前記宛先アドレスをさらに含む、
請求項１４から１６のいずれか一項に記載のモビリティ管理ノード（２０）。
【請求項２０】
前記通知が、前記モバイル端末のサービングモビリティ管理ノード（３０）から受信されるコンテキスト要求であり、前記モビリティ管理ノード（２０）は、コンテキスト応答（Ｓ１０２ｃ）中で前記サービングモビリティ管理ノード（３０）を介して前記ＳＭＳ−ＧＳＭＣ（４０）に前記メッセージをサブミットし、さらに前記ＳＭＳ−ＧＳＭＣ（４０）の宛先アドレスを含めるようにさらに動作可能である、請求項１４から１６のいずれか一項に記載のモビリティ管理ノード（２０）。
【請求項２１】
前記ＳＭが配信されることになるという指示をＳＭＳ−ＧＭＳＣ（４０）から受信するとき、
前記ＳＭがすぐに配信され得ない場合、前記ＳＭＳ−ＧＭＳＣ（４０）がどのくらいの時間の間前記ＳＭを記憶することになるかを指定する最大再送信時間の指示と、前記ＳＭを配信するためのモバイル端末利用可能性の後続の通知を受信することを前記ＳＭＳ−ＧＭＳＣ（４０）がサポートするかどうかを示す能力指示とを、受信することと、
前記ＳＭがどの時点において前記ＳＭＳ−ＧＭＳＣ（４０）によって再送信されなければならないかを示す要求される再送信時間と、前記モビリティ管理ノード（２０）が、前記ＳＭを配信するためのモバイル端末利用可能性の前記後続の通知をサポートする能力確認とを含む指示を前記ＳＭＳ−ＧＭＳＣ（４０）にサブミットすることと
を行うようにさらに動作可能である、
請求項１４から２０のいずれか一項に記載のモビリティ管理ノード（２０）。
【請求項２２】
現在拡張アイドルモード間欠受信（ｅＤＲＸ）モードにあるモバイル端末（１０）へのモバイル着信（ＭＴ）ショートメッセージ（ＳＭ）の配信を可能にするように設定されたモビリティ管理ノード（３０）であって、処理ユニット（３１）と、前記処理ユニットによって実行可能な命令（３２）を含んでいるメモリ（３３）とを備え、
ページングオケージョンが発生する前に前記モバイル端末（１０）が前記ｅＤＲＸモードを出たという通知を受信することと、
前記通知が受信される前に前記モバイル端末（１０）がそれによってサーブされた別のモビリティ管理ノード（２０）にコンテキスト要求をサブミットすることと、
前記ＳＭが配信されることになるという指示を含むコンテキスト応答を前記別のモビリティ管理ノード（２０）から受信することと、
前記モバイル端末（１０）への配信のための前記ＳＭをＳＭＳ−ＧＭＳＣ（４０）から受信することと
を行うように動作可能である、モビリティ管理ノード（３０）。
【請求項２３】
前記ＳＭＳ−ＧＭＳＣ（４０）に前記メッセージを直接サブミットするようにさらに動作可能である、請求項２２に記載のモビリティ管理ノード（３０）。
【請求項２４】
ホームサブスクリプションサーバ（ＨＳＳ）を介して前記ＳＭＳ−ＧＭＳＣ（４０）に前記メッセージをサブミットするようにさらに動作可能であり、前記ＨＳＳを介して前記ＳＭＳ−ＧＭＳＣにサブミットされる前記メッセージが、前記ＳＭＳ−ＧＭＳＣに前記モビリティ管理の宛先アドレスを提供させるための前記ＨＳＳへの命令をさらに含む、請求項２２に記載のモビリティ管理ノード（３０）。
【請求項２５】
前記モバイル端末（１０）が前記ｅＤＲＸモードに再び入るまでの時間を指定する時間期間を前記サブミットされたメッセージ中に含めるようにさらに動作可能である、請求項２２から２４のいずれか一項に記載のモビリティ管理ノード（２０、３０）。
【請求項２６】
コンピュータ実行可能命令がデバイス（２０）中に含まれる処理ユニット（２１）上で実行されるとき、前記デバイスに、請求項１から９のいずれか一項に記載の方法を実施させるための前記コンピュータ実行可能命令を含むコンピュータプログラム（２２）。
【請求項２７】
コンピュータ可読媒体（２３）を備えるコンピュータプログラム製品であって、前記コンピュータ可読媒体が、請求項２６に記載の前記コンピュータプログラム（２２）をその上に組み込む、コンピュータプログラム製品。
【請求項２８】
コンピュータ実行可能命令がデバイス（３０）中に含まれる処理ユニット（３１）上で実行されるとき、前記デバイスに、請求項１０から１２のいずれか一項に記載の方法を実施させるための前記コンピュータ実行可能命令を含むコンピュータプログラム（３２）。
【請求項２９】
コンピュータ可読媒体（３３）を備えるコンピュータプログラム製品であって、前記コンピュータ可読媒体が、請求項２８に記載の前記コンピュータプログラム（３２）をその上に組み込む、コンピュータプログラム製品。
【発明の詳細な説明】
【技術分野】
【０００１】
本発明は、モバイル端末へのモバイル着信（ＭＴ）ショートメッセージ（ＳＭ）の配信を可能にする、モビリティ管理ノードおよびモビリティ管理ノードの方法に関する。
【０００２】
本発明は、さらに、本発明による方法をモビリティ管理ノードに実施させるためのコンピュータプログラムと、対応するコンピュータプログラム製品とに関する。
【背景技術】
【０００３】
ショートメッセージサービス（ＳＭＳ）は、モバイル通信用グローバルシステム（ＧＳＭ）、ユニバーサルモバイルテレコミュニケーションズシステム（ＵＭＴＳ）およびエボルブドパケットシステム（ＥＰＳ）など、第３世代パートナーシッププロジェクト（３ＧＰＰ）通信システムにおいて、モバイル端末との間で限られたサイズのメッセージを送る手段を提供する。ＳＭＳの提供は、ショートメッセージのためのストアアンドフォワードセンターとして働くサービスセンターを利用する。
【０００４】
モバイル端末発信メッセージは、端末からサービスセンターにトランスポートされ、モバイル着信メッセージは、サービスセンターから端末にトランスポートされるものとする。ショートメッセージは、典型的に、他のモバイルユーザによってサービスセンターに入力され、他のモバイルユーザに、または固定ネットワーク上の加入者に宛てられる。これは、技術仕様３ＧＰＰ  ＴＳ２３．０４０に詳細に記載されている。
【０００５】
今では、モバイル端末のバッテリー寿命を延長するために、間欠受信（ＤＲＸ）として知られる方法が使用され、しばしばユーザ機器（ＵＥ）と呼ばれるモバイル端末は、利用可能なダウンリンクデータがあるかどうかを確認するために物理ダウンリンク制御チャネル（ＰＤＣＣＨ）を時々監視するにすぎない。
【０００６】
マシン型通信（ＭＴＣ）デバイスなど、最近導入されたＵＥタイプが、極めて効率的な電力節約を必要とし、このことが、拡張アイドルモードＤＲＸ（ｅＤＲＸ）と呼ばれるモードの導入をもたらした。すなわち、ＵＥとネットワークとは、非アクセス層（ＮＡＳ）シグナリングにわたって、ＤＲＸサイクル値に依存するある遅延内のモバイル着信データおよび／またはネットワーク発信プロシージャについて利用可能でありながら、その電力消費を低減するための拡張アイドルモードＤＲＸの使用をネゴシエートし得る。ｅＤＲＸ可能ＵＥは、そのページング送信ウィンドウ（ＰＴＷ）中にネットワークによって到達可能であり（すなわち、ネットワークによってページングされ）得るにすぎず、そのウィンドウ中に、ＵＥは、通常ＤＲＸを使用する。
【０００７】
「ＭＴ  ＳＭＳ  ｐｒｏｃｅｄｕｒｅｓ  ｆｏｒ  ＵＥｓ  ｉｎ  ｅｘｔｅｎｄｅｄ  ｉｄｌｅ  ｍｏｄｅ  ＤＲＸ」、Ｃ４−１５２１１５、３ＧＰＰ  ＴＳＧ  ＣＴ４会議
＃７１、アナハイム、米国、２０１５年１１月１６〜２０日において、ショートメッセージサービスセンター（ＳＭＳＣ）からモビリティ管理エンティティ（ＭＭＥ）へのモバイル着信（ＭＴ）ショートメッセージ（ＳＭ）配信が記載されている。
【０００８】
同封の図１のタイミング図を参照する。
１．ＳＭＳＣは、ＵＥをサーブするノードのアドレスを検索するために、ホーム加入者サーバ（ＨＳＳ）に、ＳＭ用ルーティング情報送信要求（ＳＲＲ：Ｓｅｎｄ−Ｒｏｕｔｉｎｇ−Ｉｎｆｏ−ｆｏｒ−ＳＭ−Ｒｅｑｕｅｓｔ）コマンドをサブミットする。
２．ＨＳＳは、それに応じて、サービングＭＭＥのアドレスを示す、ＳＭ用ルーティング情報送信返答（ＳＲＡ：Ｓｅｎｄ−Ｒｏｕｔｉｎｇ−Ｉｎｆｏ−ｆｏｒ−ＳＭ−Ａｎｓｗｅｒ）メッセージをサブミットすることによって返答する。
３．ＳＭＳＣは、サービングＭＭＥに、ＭＴショートメッセージフォワード要求（ＴＦＲ：ＭＴ−Ｆｏｒｗａｒｄ−Ｓｈｏｒｔ−Ｍｅｓｓａｇｅ−Ｒｅｑｕｅｓｔ）を送る。ＳＭＳＣは、ＴＦＲ中で最大再送信時間（たとえば５〜１０分）を示し、これは、ＵＥが拡張アイドルモードＤＲＸにあることによりＳＭがすぐに配信され得ない場合、ＳＭＳＣがどのくらいの時間の間ＳＭを記憶する準備ができているかについて示す。
４．ＵＥが、ＴＦＲ中で提供された最大再送信時間内に到達可能な場合、ＭＭＥは、ステップ４ａにおいて、要求される再送信時間、すなわち、ＳＭがＳＭＳＣによって再送されなければならない時間を示す、ＭＴショートメッセージフォワード返答（ＴＦＡ：ＭＴ−Ｆｏｒｗａｒｄ−Ｓｈｏｒｔ−Ｍｅｓｓａｇｅ−Ｒｅｑｕｅｓｔ−Ａｎｓｗｅｒ）を即時に送る。ＭＭＥはまた、４ｂにおいて、ＵＥをページングする。
この段階で、ＳＭＳＣは、ＨＳＳに、ＳＭ配信は不成功であったという指示を伴う、ＳＭ配信ステータス報告要求（ＲＤＲ：Ｒｅｐｏｒｔ−ＳＭ−Ｄｅｌｉｖｅｒｙ−Ｓｔａｔｕｓ−Ｒｅｑｕｅｓｔ）を送らないことになる。結果として、ＨＳＳは、ＳＭ配信ステータス報告返答（ＲＤＡ：Ｒｅｐｏｒｔ−ＳＭ−Ｄｅｌｉｖｅｒｙ−Ｓｔａｔｕｓ−Ａｎｓｗｅｒ）メッセージを用いて返答しないことになり、そのメッセージ待機データ（ＭＷＤ：Ｍｅｓｓａｇｅ  Ｗａｉｔｉｎｇ  Ｄａｔａ）中にサービスセンターアドレスを記憶しないことになる。
５．ＵＥは、シグナリング接続がＵＥとＭＭＥとの間で確立された時点において、ページングに応答する。
この段階で、ＭＭＥは、ＨＳＳに、ＵＥが到達可能になったことをシグナリングするための通知要求（ＮＯＲ：Ｎｏｔｉｆｙ−Ｒｅｑｕｅｓｔ）を送らない。
６．ＳＭＳＣは、ＴＦＡ中で示された、要求される再送信時間において、ＳＭを再送信する（ＴＦＲのこの第２の送信中に最大再送信時間は含まれない）。
【０００９】
「ＭＴ  ＳＭＳ  ｐｒｏｃｅｄｕｒｅｓ  ｆｏｒ  ＵＥｓ  ｉｎ  ｅｘｔｅｎｄｅｄ  ｉｄｌｅ  ｍｏｄｅ  ＤＲＸ」におけるソリューションを、以下のメリットを提示するために説明する。
ａ．ｅＤＲＸにおけるＵＥのためのＭＴ  ＳＭは、余分のＨＳＳシグナリングを引き起こさない。
ｂ．（たとえば２０秒までの）短いｅＤＲＸ期間に伴う、ＨＳＳにおいて受信されるメッセージの同期の問題点なし。
ｃ．このプロシージャが使用される場合、単一試み配信ＳＭがＵＥに送信され得る（前に指定された単一試み配信ＳＭのためにＭＷＤを使用する必要がない）。
【００１０】
「ＭＴ  ＳＭＳ  ｐｒｏｃｅｄｕｒｅｓ  ｆｏｒ  ＵＥｓ  ｉｎ  ｅｘｔｅｎｄｅｄ  ｉｄｌｅ  ｍｏｄｅ  ＤＲＸ」におけるソリューションを、以下の欠点を提示するためにさらに説明する。
ａ．ＵＥが実際到達可能であるかどうかを確実には知らずに、ＳＭ再送信はトリガされる（たとえば、ＵＥは切り離されていることがある、ＵＥはトンネルの中にあることがある、ｅＤＲＸ期間が再ネゴシエートされていることがある、など）。
ｂ．ＳＭＳＣに対するより大きい影響（たとえば最高５〜１０分間のＭＴ−ＳＭの延長されたバッファリング）。
ｃ．移動局到達不可能フラグ（ＭＮＲＦ：Ｍｏｂｉｌｅ  Ｓｔａｔｉｏｎ  Ｎｏｔ  Ｒｅａｃｈａｂｌｅ  Ｆｌａｇ）がＨＳＳにおいてセットされず、それゆえ、異なるＳＭＳＣから同じＵＥへの後続のＭＴ  ＳＭは、到達不可能であるＵＥについて、ＭＭＥに、新しいＭＴ  ＳＭフォワード要求をトリガすることになる。
ｄ．拡張アイドルモードＤＲＸを使用するＵＥのためのＭＴ  ＳＭＳを配信するためのさらなる方法を導入する。
【００１１】
出願人は、図２を参照して論じるように、このソリューションに伴うさらなる欠点を識別した。
【００１２】
図１の場合のように、ＳＭＳＣは、ＳＭがＵＥにサブミットされることになることを示すために、現在サービングＭＭＥ（ＭＭＥ１）にＴＦＲをサブミットする。ＴＦＲは、ＵＥがｅＤＲＸにあることによりＳＭがすぐに配信され得ない場合、ＳＭＳＣがどのくらいの時間の間ＳＭを記憶する準備ができているかを示す、最大再送信時間を含む。
【００１３】
ＭＭＥ１は、対応して、ＳＭがＳＭＳＣによって再送信されなければならない要求される再送信時間を示すＴＦＡを用いて返答し、その後、要求される再送信時間において、ＵＥがそのｅＤＲＸサイクルから起動するとき、ＳＭがＳＭＳＣからＭＭＥ１を介してＵＥに適時に配信され得るように、次のページング送信ウィンドウの開始のちょうど少し前に、すなわち、示された要求される再送信時間の直前に発生する次のページングオケージョンにおいて、ＵＥをページングすることになる。
【００１４】
次に、この特定の例のＭＭＥ１では、たとえばデータを送ることについてのＵＥサービス要求により、ＵＥがそのｅＤＲＸサイクルから起動し、こうしてｅＤＲＸモードを出、対応して、サービングモビリティ管理ノードによってページングされる前に、その現在サービングモビリティ管理ノード、たとえば、ＭＭＥまたはサービングＧＰＲＳ（汎用パケット無線サービス）サポートノード（ＳＧＳＮ）に向けてＮＡＳシグナリングを開始する場合、第１の問題が生じる。
【００１５】
ＮＡＳシグナリングは、Ｌｏｎｇ  Ｔｅｒｍ  Ｅｖｏｌｕｔｉｏｎ／エボルブドユニバーサル地上波アクセスネットワーク（ＬＴＥ／Ｅ−ＵＴＲＡＮ）アクセスのためのＵＥとＭＭＥとの間の非無線シグナリングを伝達するために使用される。たとえば、ＮＡＳ要求は、ネットワーク内のＵＥのロケーションを更新するルーティングエリア更新（ＲＡＵ）要求であることがある。ＵＥは、ＵＥが新しいルーティングエリアに入ったことを検出したとき、ＲＡＵを開始し、こうして、コアネットワーク、すなわち現在サービングＳＧＳＮまたは新しいＳＧＳＮのいずれかに接触することになる。
【００１６】
したがって、第１の問題は、イントラＳＧＳＮ  ＲＡＵ要求の場合、すなわち、ＵＥが新しいルーティングエリアに入るが、ＳＧＳＮ１によって図２に例証されているサービングＳＧＳＮにとどまることになるとき、発生することとして例証され得る。ＳＭＳＣが、ＴＦＡ指定の要求される再送信時間において、ＵＥにＳＭをサブミットすることを試みるとき、ＵＥがｅＤＲＸモードに再び入っているというリスクがあり、スケジュールされたＭＴ−ＳＭＳ配信は、結果として失敗することになる。ＵＥがＵＴＲＡＮにおいてキャンピングしているとき、ｅＤＲＸサイクルは、各ルーティングエリア更新プロシージャにおいて再開することになる。
【００１７】
ＵＥがＥ−ＵＴＲＡＮおよびＧＳＭにおいてキャンピングしているとき、ＵＥがＴＡＵ／ＲＡＵにおいてｅＤＲＸサイクルを変更するように要求するかどうかにかかわらず、サービングＭＭＥまたはＳＧＳＮがｅＤＲＸサイクルを維持することになる場合、ページングオケージョン方式は維持され得る。このシナリオでは、問題点はあまり厄介ではないが、とはいえ、ＭＴ−ＳＭＳは、次のスケジュールされたページング時間まで不必要に遅延され、余分のシグナリングがＵＥに向けて必要とされ、ＵＥ電力消費が増加し、このことは実際回避されなければならない。
【００１８】
さらに、ネットワークからのページングメッセージにＵＥが応答する前に、ＵＥが他のモビリティ管理ノードに向けてＮＡＳ要求を開始し、それによって、インターＭＭＥ  ＴＡＵ要求と呼ばれる２つの管理ノード間のアイドルモードモビリティプロシージャに影響を及ぼす場合、第２の問題が生じ、他のノードは図２にＭＭＥ２によって例証されている。すなわち、ページングウィンドウがまだ発生していないので、ページングメッセージは、第１のモビリティ管理ノードによって送られなかった。
【００１９】
たとえば、ＭＭＥ１が、ＳＭＳＣに、ｅＤＲＸサイクルに基づく次のページングオケージョンを示す要求される再送信時間を報告した後であるが、実際のページングオケージョンが発生する前に、ＵＥがＭＭＥ  ＴＡＵ要求を開始した場合、このことが発生することになる。
【００２０】
この場合、ＳＭＳＣは、ＴＦＡ指定の要求される再送信時間において、間違ったＭＭＥ、すなわちＭＭＥ１にＭＴ−ＳＭＳを配信することになる。
【発明の概要】
【００２１】
本発明の目的は、当技術分野でのこれらの問題のうちの少なくとも１つを解決するか、または少なくとも緩和することであり、こうして、ｅＤＲＸモードについて可能にされたモバイル端末へのショートメッセージの配信を容易にする改善された方法を提供することである。
【００２２】
この目的は、本発明の第１の態様では、現在ｅＤＲＸモードにあるモバイル端末へのモバイル着信（ＭＴ）ショートメッセージ（ＳＭ）の配信を可能にするモビリティ管理ノードの方法によって達成される。本方法は、ＳＭが配信されることになるという指示をショートメッセージサービスゲートウェイモバイルスイッチングセンター（ＳＭＳ−ＧＭＳＣ）から受信することと、ページングオケージョンが発生する前にモバイル端末がｅＤＲＸモードを出たという通知を受信することと、通知に応答して、モバイル端末がＳＭの配信のために利用可能であることをＳＭＳ−ＧＭＳＣに示すメッセージをサブミットすることとを含む。
【００２３】
この目的は、本発明の第２の態様では、現在ｅＤＲＸモードにあるモバイル端末へのＭＴ  ＳＭの配信を可能にするように設定されたモビリティ管理ノードであって、処理ユニットと、前記処理ユニットによって実行可能な命令を含んでいるメモリとを備え、ＳＭが配信されることになるという指示をＳＭＳ−ＧＭＳＣから受信することと、ページングオケージョンが発生する前にモバイル端末がｅＤＲＸモードを出たという通知を受信することと、通知に応答して、モバイル端末がＳＭの配信のために利用可能であることをＳＭＳ−ＧＭＳＣに示すメッセージをサブミットすることとを行うように動作可能である、モビリティ管理ノードによって達成される。
【００２４】
この目的は、本発明の第３の態様では、現在ｅＤＲＸモードにあるモバイル端末へのＭＴ  ＳＭの配信を可能にするモビリティ管理ノードの方法であって、ページングオケージョンが発生する前にモバイル端末がｅＤＲＸモードを出たという通知を受信することと、通知が受信される前にモバイル端末がそれによってサーブされた別のモビリティ管理ノードにコンテキスト要求をサブミットすることと、ＳＭが配信されることになるという指示を含むコンテキスト応答を前記別のモビリティ管理ノードから受信することと、モバイル端末への配信のためのＳＭをＳＭＳ−ＧＭＳＣから受信することとを含む、方法によって達成される。
【００２５】
この目的は、本発明の第４の態様では、現在ｅＤＲＸモードにあるモバイル端末へのＭＴ  ＳＭの配信を可能にするように設定されたモビリティ管理ノードであって、処理ユニットと、前記処理ユニットによって実行可能な命令を含んでいるメモリとを備え、ページングオケージョンが発生する前にモバイル端末がｅＤＲＸモードを出たという通知を受信することと、通知が受信される前にモバイル端末がそれによってサーブされた別のモビリティ管理ノードにコンテキスト要求をサブミットすることと、ＳＭが配信されることになるという指示を含むコンテキスト応答を前記別のモビリティ管理ノードから受信することと、モバイル端末への配信のためのＳＭをＳＭＳ−ＧＭＳＣから受信することとを行うように動作可能である、モビリティ管理ノードによって達成される。
【００２６】
一実施形態では、メッセージが、ＳＭＳ−ＧＭＳＣに直接サブミットされる。
【００２７】
別の実施形態では、メッセージが、ホームサブスクリプションサーバ（ＨＳＳ）を介してＳＭＳ−ＧＭＳＣにサブミットされる。
【００２８】
一実施形態では、ＨＳＳを介してＳＭＳ−ＧＭＳＣにサブミットされるメッセージが、ＳＭＳ−ＧＭＳＣにモビリティ管理の宛先アドレスを提供させるためのＨＳＳへの命令をさらに含む。
【００２９】
さらに別の実施形態では、通知が、モバイル端末から受信される非アクセス層（ＮＡＳ）要求である。
【００３０】
さらに一実施形態では、通知が、モバイル端末のサービングモビリティ管理ノードから受信されるコンテキスト要求であり、本方法は、ＳＭが配信されることになるという指示を含むコンテキスト応答をサービングモビリティ管理ノードにサブミットすることと、ＳＭ配信のためのサービングモビリティ管理ノードの宛先アドレスを含むコンテキスト肯定応答をサービングモビリティ管理ノードから受信することとをさらに含み、前記サブミットされるメッセージが、サービングモビリティ管理ノードの宛先アドレスをさらに含む。
【００３１】
別の実施形態では、通知が、モバイル端末のサービングモビリティ管理ノードから受信されるコンテキスト要求であり、前記メッセージが、コンテキスト応答中でサービングモビリティ管理ノードを介してＳＭＳ−ＧＳＭＣにサブミットされ、ＳＭＳ−ＧＳＭＣの宛先アドレスをさらに含む。
【００３２】
さらに一実施形態では、ＳＭが配信されることになるというＳＭＳ−ＧＭＳＣからの指示の受信することは、ＳＭがすぐに配信され得ない場合、ＳＭＳ−ＧＭＳＣがどのくらいの時間の間ＳＭを記憶することになるかを指定する最大再送信時間の指示と、ＳＭＳ−ＧＭＳＣが、ＳＭを配信するためのモバイル端末利用可能性の後続の通知を受信することをサポートするかどうかを示す能力指示とを受信することを含み、本方法は、ＳＭがどの時点においてＳＭＳ−ＧＭＳＣによって再送信されなければならないかを示す要求される再送信時間と、モビリティ管理ノードが、ＳＭを配信するためのモバイル端末利用可能性の後続の通知をサポートするという能力確認とを含む指示をＳＭＳ−ＧＭＳＣにサブミットすることをさらに含む。
【００３３】
さらなる実施形態では、サブミットされるメッセージは、モバイル端末がｅＤＲＸモードに再び入るまでの時間を指定する時間期間をさらに示す。
【００３４】
一般に、特許請求の範囲において使用されるすべての用語は、本明細書で別段明示的に規定されない限り、本技術分野におけるその通例の意味に従って読み取るべきである。「１つの（ａ／ａｎ）／その（ｔｈｅ）要素、装置、コンポーネント、手段、ステップ、その他」へのすべての参照は、別段明示的に記述されない限り、その要素、装置、コンポーネント、手段、ステップ、その他の少なくとも１つの実例を指すようにオープンに読み取るべきである。本明細書で開示するいずれの方法のステップも、明示的に記述されない限り、開示した厳密な順序で実施される必要はない。
【００３５】
次に、本発明を、例として、付随する図面を参照して説明する。
【図面の簡単な説明】
【００３６】
【図１】ＳＭＳＣからＭＭＥへのＭＴ  ＳＭ配信を例示する従来技術のタイミング図である。
【図２】図１のＭＴ  ＳＭ配信プロシージャに関係する問題を例示するタイミング図である。
【図３】本発明の方法の一実施形態を例示する図である。
【図４】本発明の方法の別の実施形態を例示する図である。
【図５】本発明の方法のまた別の実施形態を例示する図である。
【図６】本発明の方法のさらなる実施形態を例示する図である。
【図７】本発明の方法のまたさらなる実施形態を例示する図である。
【図８】本発明の方法のさらにさらなる実施形態を例示する図である。
【図９】本発明の方法の別の実施形態を例示する図である。
【図１０】本発明の方法のまた別の実施形態を例示する図である。
【図１１】本発明のモビリティ管理ノードの実施形態を例示する図である。
【図１２】本発明のモビリティ管理ノードのさらなる実施形態を例示する図である。
【発明を実施するための形態】
【００３７】
次に、本発明を、本発明の一定の実施形態を示した付随する図面を参照して、以下でより十分に説明する。しかしながら、本発明は、多くの異なる形態で具現化されてよく、本明細書で述べる実施形態に限定されるものとして解釈されるべきではない。むしろ、これらの実施形態は、本開示が徹底的かつ完全であり、本発明の範囲を当業者に十分に伝えるように、例として提供される。同じような番号は、説明を通して同じような要素を指す。
【００３８】
図１は、前に論じたように、「ＭＴ  ＳＭＳ  ｐｒｏｃｅｄｕｒｅｓ  ｆｏｒ  ＵＥｓ  ｉｎ  ｅｘｔｅｎｄｅｄ  ｉｄｌｅ  ｍｏｄｅ  ＤＲＸ」において開示された、ＳＭＳＣからＭＭＥへのＭＴ  ＳＭ配信を例示するタイミング図を示す。
【００３９】
図２は、前に論じたように、図１のＭＴ  ＳＭ配信プロシージャに関係する問題を例示するタイミング図を示す。ＳＭＳＣは、以下では、ショートメッセージサービスゲートウェイモバイルスイッチングセンター（ＳＭＳ−ＧＭＳＣ）と呼ばれる。
【００４０】
要するに、次のページングオケージョンが起こる前に、ＵＥ１０がｅＤＲＸサイクルから起動した場合、すなわち、ＵＥ１０が、ＵＥ１０が常駐していたｅＤＲＸモードを出た場合、第１の問題が生じる。ＳＭＳ−ＧＭＳＣ４０は、次のページングオケージョンにおけるＳＭ配信のためにスケジュールされており、こうして、ＭＭＥ１／ＳＧＳＮ１  ２０を介して、ｅＤＲＸモードを出つつあるＵＥ１０にＳＭを配信するための機会を逃す。次のページングオケージョンが発生すると、ＵＥ１０がｅＤＲＸモードに再び入っているというリスクがあり、別のＳＭ配信失敗に結果し、プロシージャが繰り返されなければならない。
【００４１】
さらに、このシナリオにおいて、たとえばインターＭＭＥ  ＴＡＵを実施することによって、次のページングオケージョンが起こる前に、ＵＥ１０が、ＵＥ１０が常駐していたｅＤＲＸモードを出た場合、第２の問題が生じる。そのようなシナリオでは、ＳＭＳ−ＧＭＳＣ４０が次のページングオケージョンにおけるＳＭ配信のためにスケジュールされるとき、ＳＭＳ−ＧＭＳＣ４０は、ＭＭＥ２／ＳＧＳＮ２  ３０にＳＭを配信する代わりに、もはやサービングＭＭＥでないＭＭＥ１／ＳＧＳＮ１  ２０にＳＭを配信することになる。
【００４２】
以下では、ＭＭＥ１／ＳＧＳＮ１およびＭＭＥ２／ＳＧＳＮ２は、それぞれ、ＭＭＥ１およびＭＭＥ２と呼ばれる。しかしながら、ＭＭＥ１およびＭＭＥ２は、ＵＴＲＡＮとＥ−ＵＴＲＡＮの両方のモビリティ管理ノードを具現化することに留意されたい。
【００４３】
図３は、ＳＭＳ−ＧＭＳＣ４０からＵＥ１０へのＭＴ  ＳＭの配信を可能にする、ＭＭＥ１  ２０において実施される本発明の方法の一実施形態を例示する。
【００４４】
第１のステップＳ１０１において、ＭＭＥ１  ２０は、現在ｅＤＲＸモードにあるＵＥ１０にＳＭが配信されることになるという指示をＳＭＳ−ＧＭＳＣ４０から受信する。次に、ページングオケージョンが発生する前に、たとえば、イントラＭＭＥ  ＴＡＵ、イントラＳＧＳＮ  ＲＡＵ、または一般的なサービス要求などについてのＮＡＳ要求の結果として、ＵＥ１０がｅＤＲＸモードを出た場合、ＭＭＥ１  ２０は、それに応じて第２のステップＳ１０２において通知を受信することになる。
【００４５】
第３のステップＳ１０３において、ＭＭＥ１  ２０は、ステップＳ１０２において受信された指示に応答して、ＵＥ１０がＳＭの即時配信のために利用可能であることを示すメッセージを、ＳＭＳ−ＧＭＳＣ４０にサブミットする。その結果、ＳＭＳ−ＧＭＳＣは、有利なことに、ステップＳ１０４においてＭＭＥ１  ２０を介して、現在ｅＤＲＸモードにないＵＥ１０にＳＭを配信するための機会を逃さないことになる。
【００４６】
代替実施形態では、メッセージはＳＭＳ−ＧＭＳＣ４０に直接サブミットされるのではなく、（図３に示されていない）ＨＳＳを介してサブミットされる。そのような実施形態では、ＨＳＳを介してＳＭＳ−ＧＭＳＣ４０にサブミットされるメッセージは、ＳＭＳ−ＧＳＭＣ４０がＭＭＥ１  ２０を介してＵＥ１０にＳＭを配信することが可能であるために、ＳＭＳ−ＧＭＳＣ４０に（ＨＳＳに知られている）ＭＭＥ１  ２０の宛先アドレスを提供させるためのＨＳＳへの命令をさらに含む。
【００４７】
図４は、ＳＭＳ−ＧＭＳＣ４０からＵＥ１０へのＭＴ  ＳＭの配信を可能にする、本発明の方法の一実施形態を例示する。
【００４８】
第１のステップＳ１０１において、ＭＭＥ１  ２０は、現在ｅＤＲＸモードにあるＵＥ１０にＳＭが配信されることになるという指示をＳＭＳ−ＧＭＳＣ４０から受信する。次に、ページングオケージョンが発生する前に、たとえば、ＭＭＥ２  ３０へのＴＡＵ、ＲＡＵ、または一般的なサービス要求などについてのステップＳ１０２ａにおけるＮＡＳ要求の結果として、ＵＥ１０がｅＤＲＸモードを出た場合、他のＭＭＥ１  ２０が、それに応じて通知を受信することになる。しかしながら、図３を参照して説明した実施形態とは対照的に、通知は、このシナリオでは、ＵＥ１０から受信されるのではなく、ステップＳ１０２ｂにおいて（今、サービングＭＭＥである）ＭＭＥ２からコンテキスト要求の形態で受信される。
【００４９】
この結果として、ＭＭＥ１  ２０は、ステップＳ１０２ｃにおいて、ＭＭＥ２  ３０によって受信されることになり、ＳＭが配信されることになるという指示を含むコンテキスト応答をサブミットする。それに応答して、ＭＭＥ１  ２０は、ステップＳ１０２ｄにおいてＭＭＥ２によって送られ、後続のＳＭ配信のための新しいサービングＭＭＥ、すなわちＭＭＥ２  ３０の宛先アドレスを含む、コンテキスト肯定応答を受信する。
【００５０】
ステップＳ１０３において、ＭＭＥ１  ２０は、ステップＳ１０２ｂにおいて受信された通知に応答して、ＵＥ１０がＳＭの即時配信のために利用可能であることを示すメッセージをＳＭＳ−ＧＭＳＣ４０にサブミットし、この実施形態におけるそのメッセージは、サービングＭＭＥであるＭＭＥ２  ３０の宛先アドレスをさらに含む。
【００５１】
その結果、ＳＭＳ−ＧＭＳＣ４０は、有利なことに、ステップＳ１０５において正しいＭＭＥに、すなわちＭＭＥ２  ３０に、さらに現在ｅＤＲＸモードにないＵＥ１０上にＳＭを配信することになる。
【００５２】
再び図４を参照すると、代替実施形態では、ＵＥ１０がｅＤＲＸモードを出たという通知は、ステップＳ１０２ｂにおいてＭＭＥ２  ３０からコンテキスト要求の形態で再び受信される。しかしながら、ＳＭがＵＥ１０に即時に配信され得ることを示すメッセージは、ステップＳ１０３ａにおいて、ステップＳ１０２ｃにおけるコンテキスト応答中でＭＭＥ２  ３０を介してＳＭＳ−ＧＳＭＣ４０にサブミットされ、この実施形態におけるそのメッセージは、ＭＭＥ２  ３０の情報のためのＳＭＳ−ＧＳＭＣ４０の宛先アドレスをさらに含む。
【００５３】
図４を参照して論じた実施形態と同様に、メッセージがＳＭＳ−ＧＭＳＣ４０に直接サブミットされるのではなく、（図４に示されていない）ＨＳＳを介してサブミットされることが、一実施形態において想定され得る。そのような実施形態では、ＨＳＳを介してＳＭＳ−ＧＭＳＣ４０にサブミットされるメッセージは、ＳＭＳ−ＧＳＭＣ４０が正しいＭＭＥすなわちＭＭＥ２  ３０を介してＵＥ１０にＳＭを配信することが可能であるために、ＳＭＳ−ＧＭＳＣ４０にＭＭＥ２  ３０の宛先アドレスを提供させるためのＨＳＳへの命令をさらに含む。
【００５４】
図３および図４を参照すると、ＭＭＥ１  ２０が、現在ｅＤＲＸモードにあるＵＥ１０にＳＭが配信されることになるという指示をＳＭＳ−ＧＭＳＣ４０から受信する場合、ステップＳ１０１は、以下で説明することになる図５のステップ１０１ａおよび１０１ｂを含むように拡大されることが、実施形態において想定され得る。
【００５５】
図５は、図３を参照して前に論じた実施形態に基づいて、ＳＭＳ−ＧＭＳＣ４０からＵＥ１０へのＭＴ  ＳＭの配信を可能にする、ＭＭＥ１  ２０において実施される本発明の一実施形態を例示する。
【００５６】
第１のステップＳ１０１ａにおいて、ＭＭＥ１  ２０は、ＵＥ１０にＳＭが配信されることになるという指示を、最大再送信時間を含むＴＦＲの形態でＳＭＳ−ＧＭＳＣ４０から受信し、最大再送信時間は、ＳＭがすぐに配信され得ない場合、ＳＭＳ−ＧＭＳＣ４０がどのくらいの時間の間ＳＭを記憶することになるかを示し、ＭＭＥ１  ２０は、さらに、ＳＭＳ−ＧＭＳＣ４０が、ＳＭを配信するためのＵＥ利用可能性の後続の通知を受信することをサポートするかどうかを示す能力指示を受信する。
【００５７】
その後に、ステップＳ１０１ｂにおいて、ＭＭＥ１  ２０は、要求される再送信時間、すなわち、ＵＥ１０が現在ｅＤＲＸモードにあるので、ＳＭがＳＭＳ−ＧＭＳＣ４０によって再送信されなければならない時間を示すＴＦＡを用いて応答する。ＴＦＡは、ＵＥ１０がｅＤＲＸモードを出るとき、ＭＭＥ１が、ＳＭを配信するためのＵＥ利用可能性の後続の通知をサポートするかどうかをさらに示す。
【００５８】
前に説明したように、ページングオケージョンが発生する前に、たとえば、イントラＭＭＥ  ＴＡＵ、イントラＳＧＳＮ  ＲＡＵ、または一般的なサービス要求などについてのＮＡＳ要求の結果として、ＵＥ１０がｅＤＲＸモードを出た場合、ＭＭＥ１  ２０は、それに応じてステップＳ１０２において通知を受信することになる。
【００５９】
ステップＳ１０３において、ＭＭＥ１  ２０は、ステップＳ１０２において受信された指示に応答して、ＵＥ１０がＳＭの即時配信のために利用可能であることを示すメッセージを、ＳＭＳ−ＧＭＳＣ４０にサブミットする。その結果、ＳＭＳ−ＧＭＳＣは、有利なことに、ステップＳ１０４においてＭＭＥ１  ２０を介して、現在ｅＤＲＸモードにないＵＥ１０にＳＭを配信するための機会を逃さないことになる。
【００６０】
随意に、本発明のすべての実施形態について、メッセージは、最大ＵＥ利用可能性時間、すなわち、ＵＥ１０がｅＤＲＸモードに再び入るまでの時間を指定する時間期間を含み、それによって、有利なことに、その間にＵＥ１０がＳＭ配信のために利用可能になる時間ウィンドウを示す。
【００６１】
図５に見られるように、ステップＳ１０３におけるサブミッションは、ＯＦＲなどの既存のメッセージ、または新しいＤｉａｍｅｔｅｒメッセージのいずれかを使用する。ＳＭＳ−ＧＭＳＣ４０は、対応して、ステップＳ１０４ａにおいて、ＯＦＡなどの既存のメッセージ、または新しいＤｉａｍｅｔｅｒメッセージを使用してメッセージに肯定応答する。
【００６２】
保留中のＳＭは、ステップＳ１０４のＴＦＲ中でＳＭＳ−ＧＭＳＣ４０によって配信され、ＭＭＥ１は、それに応じてステップＳ１０６においてＴＦＡを用いて配信に肯定応答する。
【００６３】
図６は、図４を参照して前に論じた実施形態に基づいて、ＳＭＳ−ＧＭＳＣ４０からＵＥ１０へのＭＴ  ＳＭの配信を可能にする、ＭＭＥ１  ２０において実施される本発明の一実施形態を例示する。
【００６４】
第１のステップＳ１０１ａにおいて、ＭＭＥ１  ２０は、ＵＥ１０にＳＭが配信されることになるという指示を、最大再送信時間を含むＴＦＲの形態でＳＭＳ−ＧＭＳＣ４０から受信し、最大再送信時間は、ＳＭがすぐに配信され得ない場合、ＳＭＳ−ＧＭＳＣ４０がどのくらいの時間の間ＳＭを記憶することになるかを示し、ＭＭＥ１  ２０は、さらに、ＳＭＳ−ＧＭＳＣ４０が、ＳＭを配信するためのＵＥ利用可能性の後続の通知を受信することをサポートするかどうかを示す能力指示を受信する。
【００６５】
その後に、ステップＳ１０１ｂにおいて、ＭＭＥ１  ２０は、要求される再送信時間、すなわち、ＵＥ１０が現在ｅＤＲＸモードにあるので、ＳＭがＳＭＳ−ＧＭＳＣ４０によって再送信されなければならない時間を示すＴＦＡを用いて応答する。ＴＦＡは、ＵＥ１０がｅＤＲＸモードを出るとき、ＭＭＥ１が、ＳＭを配信するためのＵＥ利用可能性の後続の通知をサポートするかどうかをさらに示す。
【００６６】
前に説明したように、ページングオケージョンが発生する前に、たとえば、イントラＭＭＥ  ＴＡＵ、イントラＳＧＳＮ  ＲＡＵ、または一般的なサービス要求などについてのＮＡＳ要求の結果として、ＵＥ１０がｅＤＲＸモードを出た場合、ＭＭＥ１  ２０は、それに応じて第２のステップＳ１０２において通知を受信することになる。
【００６７】
ステップＳ１０３ｂにおいて、ＭＭＥ１  ２０は、ステップＳ１０２において受信された指示に応答して、ＵＥ１０がＳＭの即時配信のために利用可能であることを示すメッセージを、ＨＳＳ５０を介してＳＭＳ−ＧＭＳＣ４０にサブミットする。メッセージは、たとえばロケーション更新要求（ＵＬＲ：Ｕｐｄａｔｅ  Ｌｏｃａｔｉｏｎ  Ｒｅｑｕｅｓｔ）または通知要求（ＮＯＲ）の形態でサブミットされ得、ＳＭＳ−ＧＭＳＣ４０にＭＭＥ１  ２０の宛先アドレスを後で提供させるためのＨＳＳ５０への命令を含む。
【００６８】
ＨＳＳ５０は、それに応じて、ステップＳ１０３ｃにおいて、たとえばロケーション更新返答（ＵＬＡ：Ｕｐｄａｔｅ  Ｌｏｃａｔｉｏｎ  Ａｎｓｗｅｒ）または通知返答（ＮＯＡ：Ｎｏｔｉｆｙ−Ａｎｓｗｅｒ）の形態の肯定応答を用いて応答し、ステップＳ１０３ｄにおいて、サービスセンター警告要求（ＡＬＲ：Ａｌｅｒｔ−Ｓｅｒｖｉｃｅ−Ｃｅｎｔｒｅ−Ｒｅｑｕｅｓｔ）中で、ＵＥ利用可能性とＭＭＥ１  ２０のアドレスとを示すメッセージを送る。ＳＭＳ−ＧＭＳＣは、こうして、ステップＳ１０３ｅにおいてＨＳＳ５０に、肯定応答、サービスセンター警告返答（ＡＬＡ：Ａｌｅｒｔ−Ｓｅｒｖｉｃｅ−Ｃｅｎｔｒｅ−Ａｎｓｗｅｒ）を送る。
【００６９】
随意に、Ｓ１０３ｂおよびＳ１０３ｄにおけるメッセージは、最大ＵＥ利用可能性時間、すなわち、ＵＥ１０がｅＤＲＸモードに再び入るまでの時間を指定する時間期間を含み、それによって、有利なことに、その間にＵＥ１０がＳＭ配信のために利用可能になる時間ウィンドウを示す。
【００７０】
保留中のＳＭは、ステップＳ１０４のＴＦＲ中でＳＭＳ−ＧＭＳＣ４０によって配信され、ＭＭＥ１は、それに応じてステップＳ１０６においてＴＦＡを用いて配信に肯定応答する。その結果、ＳＭＳ−ＧＭＳＣ４０は、有利なことに、ステップＳ１０４においてＭＭＥ１  ２０を介して、現在ｅＤＲＸモードにないＵＥ１０にＳＭを配信するための機会を逃さないことになる。
【００７１】
図７は、図４を参照して前に論じた実施形態に基づいて、ＳＭＳ−ＧＭＳＣ４０からＵＥ１０へのＭＴ  ＳＭの配信を可能にする、本発明の一実施形態を例示する。
【００７２】
第１のステップＳ１０１ａにおいて、ＭＭＥ１  ２０は、ＵＥ１０にＳＭが配信されることになるという指示を、最大再送信時間を含むＴＦＲの形態でＳＭＳ−ＧＭＳＣ４０から受信し、最大再送信時間は、ＳＭがすぐに配信され得ない場合、ＳＭＳ−ＧＭＳＣ４０がどのくらいの時間の間ＳＭを記憶することになるかを示し、ＭＭＥ１  ２０は、さらに、ＳＭＳ−ＧＭＳＣ４０が、ＳＭを配信するためのＵＥ利用可能性の後続の通知を受信することをサポートするかどうかを示す能力指示を受信する。
【００７３】
その後に、ステップＳ１０１ｂにおいて、ＭＭＥ１  ２０は、要求される再送信時間、すなわち、ＵＥ１０が現在ｅＤＲＸモードにあるので、ＳＭがＳＭＳ−ＧＭＳＣ４０によって再送信されなければならない時間を示すＴＦＡを用いて応答する。ＴＦＡは、ＵＥ１０がｅＤＲＸモードを出るとき、ＭＭＥ１が、ＳＭを配信するためのＵＥ利用可能性の後続の通知をサポートするかどうかをさらに示す。
【００７４】
ページングオケージョンが発生する前に、たとえば、ＭＭＥ２  ３０へのＴＡＵ、ＲＡＵ、または一般的なサービス要求などについてのステップＳ１０２ａにおけるＮＡＳ要求の結果として、ＵＥ１０がｅＤＲＸモードを出た場合、ＭＭＥ１  ２０は、それに応じてステップＳ１０２ｂにおいて（今、サービングＭＭＥである）ＭＭＥ２  ３０からコンテキスト要求の形態の通知を受信することになる。
【００７５】
この結果として、ＭＭＥ１  ２０は、ステップＳ１０２ｃにおいて、ＳＭが配信されることになるという指示を含むコンテキスト応答をＭＭＥ２  ３０にサブミットし、この実施形態におけるそのメッセージは、ＭＭＥ２  ３０の情報のためのＳＭＳ−ＧＳＭＣ４０の宛先アドレスをさらに含む。それに応答して、ＭＭＥ２  ３０は、ステップＳ１０２ｄにおいてＭＭＥ１  ２０にコンテキスト肯定応答を送信する。
【００７６】
ステップＳ１０３ａにおいて、ＭＭＥ２  ３０は、ステップＳ１０２ｃにおいて受信された指示に応答して、ＵＥ１０がＳＭの即時配信のために利用可能であることを示すメッセージを、ＳＭＳ−ＧＭＳＣ４０にサブミットする。その結果、ＳＭＳ−ＧＭＳＣ４０は、有利なことに、ステップＳ１０５において正しいＭＭＥに、すなわちＭＭＥ２  ３０に、さらに現在ｅＤＲＸモードにないＵＥ１０上にＳＭを配信することになる。
【００７７】
随意に、メッセージは、最大ＵＥ利用可能性時間、すなわち、ＵＥ１０がｅＤＲＸモードに再び入るまでの時間を指定する時間期間を含み、それによって、有利なことに、その間にＵＥ１０がＳＭ配信のために利用可能になる時間ウィンドウを示す。
【００７８】
図７に見られるように、ステップＳ１０３ａにおけるサブミッションは、ＯＦＲなどの既存のメッセージ、または新しいＤｉａｍｅｔｅｒメッセージのいずれかを使用する。ＳＭＳ−ＧＭＳＣ４０は、対応して、ステップＳ１０５ａにおいて、ＯＦＡなどの既存のメッセージ、または新しいＤｉａｍｅｔｅｒメッセージを使用してメッセージに肯定応答する。
【００７９】
保留中のＳＭは、ステップＳ１０５のＴＦＲ中でＳＭＳ−ＧＭＳＣ４０によって配信され、ＭＭＥ２  ３０は、それに応じてステップＳ１０６ａにおいてＴＦＡを用いて配信に肯定応答する。
【００８０】
図８は、図７を参照して前に論じたものに関係する、ＳＭＳ−ＧＭＳＣ４０からＵＥ１０へのＭＴ  ＳＭの配信を可能にする、本発明の一実施形態を例示する。
【００８１】
しかしながら、この特定の実施形態では、ＳＭ配信のためのＵＥ利用可能性を示すメッセージは、ＭＭＥ２  ３０によってＨＳＳ５０を介してＳＭＳ−ＧＳＭＣ４０に送られる。
【００８２】
第１のステップＳ１０１ａにおいて、ＭＭＥ１  ２０は、ＵＥ１０にＳＭが配信されることになるという指示を、最大再送信時間を含むＴＦＲの形態でＳＭＳ−ＧＭＳＣ４０から受信し、最大再送信時間は、ＳＭがすぐに配信され得ない場合、ＳＭＳ−ＧＭＳＣ４０がどのくらいの時間の間ＳＭを記憶することになるかを示し、ＭＭＥ１  ２０は、さらに、ＳＭＳ−ＧＭＳＣ４０が、ＳＭを配信するためのＵＥ利用可能性の後続の通知を受信することをサポートするかどうかを示す能力指示を受信する。
【００８３】
その後に、ステップＳ１０１ｂにおいて、ＭＭＥ１  ２０は、要求される再送信時間、すなわち、ＵＥ１０が現在ｅＤＲＸモードにあるので、ＳＭがＳＭＳ−ＧＭＳＣ４０によって再送信されなければならない時間を示すＴＦＡを用いて応答する。ＴＦＡは、ＵＥ１０がｅＤＲＸモードを出るとき、ＭＭＥ１が、ＳＭを配信するためのＵＥ利用可能性の後続の通知をサポートするかどうかをさらに示す。
【００８４】
ページングオケージョンが発生する前に、たとえば、ＭＭＥ２  ３０へのＴＡＵ、ＲＡＵ、または一般的なサービス要求などについてのステップＳ１０２ａにおけるＮＡＳ要求の結果として、ＵＥ１０がｅＤＲＸモードを出た場合、ＭＭＥ１  ２０は、それに応じてステップＳ１０２ｂにおいて（今、サービングＭＭＥである）ＭＭＥ２  ３０からコンテキスト要求の形態の通知を受信することになる。
【００８５】
この結果として、ＭＭＥ１  ２０は、ステップＳ１０２ｃにおいて、ＳＭが配信されることになるという指示を含むコンテキスト応答をＭＭＥ２  ３０にサブミットし、この実施形態におけるそのメッセージは、ＭＭＥ２  ３０の情報のためのＳＭＳ−ＧＳＭＣ４０の宛先アドレスをさらに含む。それに応答して、ＭＭＥ２  ３０は、ステップＳ１０２ｄにおいてＭＭＥ１  ２０にコンテキスト肯定応答を送信する。
【００８６】
ステップＳ１０３ｆにおいて、ＭＭＥ２  ３０は、ステップＳ１０２ｃにおいて受信された指示に応答して、ＵＥ１０がＳＭの即時配信のために利用可能であることを示すメッセージを、ＨＳＳ５０を介してＳＭＳ−ＧＭＳＣ４０にサブミットする。メッセージは、たとえばＵＬＲまたはＮＯＲの形態でサブミットされ得、ＳＭＳ−ＧＭＳＣ４０にＭＭＥ２  ３０の宛先アドレスを後で提供させるためのＨＳＳ５０への命令を含む。
【００８７】
ＨＳＳ５０は、それに応じて、ステップＳ１０３ｇにおいて、たとえばＵＬＡまたはＮＯＡの形態の肯定応答を用いて応答し、ステップＳ１０３ｈにおいて、ＡＬＲ中で、ＵＥ利用可能性とＭＭＥ２  ３０のアドレスとを示すメッセージを送る。ＳＭＳ−ＧＭＳＣ４０は、こうして、ステップＳ１０３ｉにおいてＨＳＳ５０に肯定応答（ＡＬＡ）を送る。
【００８８】
随意に、ステップＳ１０３ｆおよびＳ１０３ｈにおけるメッセージは、最大ＵＥ利用可能性時間、すなわち、ＵＥ１０がｅＤＲＸモードに再び入るまでの時間を指定する時間期間を含み、それによって、有利なことに、その間にＵＥ１０がＳＭ配信のために利用可能になる時間ウィンドウを示す。
【００８９】
ＳＭＳ−ＧＭＳＣ４０は、有利なことに、ステップＳ１０５において正しいＭＭＥに、すなわちＭＭＥ２  ３０に、さらに現在ｅＤＲＸモードにないＵＥ１０上にＳＭを配信することになり、ＭＭＥ２  ３０は、それに応じてステップＳ１０６ａにおいてＴＦＡを用いて配信に肯定応答する。
【００９０】
図９は、図４を参照して前に論じた実施形態に基づいて、ＳＭＳ−ＧＭＳＣ４０からＵＥ１０へのＭＴ  ＳＭの配信を可能にする、本発明の一実施形態を例示する。
【００９１】
第１のステップＳ１０１ａにおいて、ＭＭＥ１  ２０は、ＵＥ１０にＳＭが配信されることになるという指示をＳＭＳ−ＧＭＳＣ４０から受信する。好ましくは、指示は、ＳＭがすぐに配信され得ない場合、ＳＭＳ−ＧＭＳＣ４０がどのくらいの時間の間ＳＭを記憶することになるかを示す最大再送信時間を含むＴＦＲの形態である。指示は、ＳＭＳ−ＧＭＳＣ４０が、ＳＭを配信するためのＵＥ利用可能性の後続の通知を受信することをサポートするかどうかを示す能力指示をさらに含み得る。
【００９２】
その後に、ステップＳ１０１ｂにおいて、ＭＭＥ１  ２０は、要求される再送信時間、すなわち、ＵＥ１０が現在ｅＤＲＸモードにあるので、ＳＭがＳＭＳ−ＧＭＳＣ４０によって再送信されなければならない時間を示すＴＦＡを好ましくは用いてＳＭＳ−ＧＭＳＣ４０に応答する。ＴＦＡは、ＵＥ１０がｅＤＲＸモードを出るとき、ＭＭＥ１が、ＳＭを配信するためのＵＥ利用可能性の後続の通知をサポートするかどうかをさらに示し得る。
【００９３】
ページングオケージョンが発生する前に、たとえば、ＭＭＥ２  ３０へのＴＡＵ、ＲＡＵ、または一般的なサービス要求などについてのステップＳ１０２ａにおけるＮＡＳ要求の結果として、ＵＥ１０がｅＤＲＸモードを出た場合、他のＭＭＥ１  ２０は、それに応じてステップＳ１０２ｂにおいて（今、サービングＭＭＥである）ＭＭＥ２  ３０からコンテキスト要求の形態の通知を受信することになる。
【００９４】
この結果として、ＭＭＥ１  ２０は、ステップＳ１０２ｃにおいて、ＳＭがＭＥ２  ３０によって受信されることになるという指示を含むコンテキスト応答をＭＭＥ２  ３０にサブミットする。それに応答して、ＭＭＥ２  ３０は、ステップＳ１０２ｄにおいてＭＭＥ１  ２０に、ＭＭＥ２  ３０の宛先アドレスを含むコンテキスト肯定応答を送信する。
【００９５】
ステップＳ１０３において、ＭＭＥ１  ２０は、ＵＥ１０がＳＭの即時配信のために利用可能であることと、ＭＭＥ２  ３０の宛先アドレスとを示すメッセージを、ＳＭＳ−ＧＭＳＣ４０にサブミットする。その結果、ＳＭＳ−ＧＭＳＣ４０は、有利なことに、ステップＳ１０４において正しいＭＭＥに、すなわちＭＭＥ２  ３０に、さらに現在ｅＤＲＸモードにないＵＥ１０上にＳＭを配信することになる。
【００９６】
随意に、メッセージは、最大ＵＥ利用可能性時間、すなわち、ＵＥ１０がｅＤＲＸモードに再び入るまでの時間を指定する時間期間を含み、それによって、有利なことに、その間にＵＥ１０がＳＭ配信のために利用可能になる時間ウィンドウを示す。
【００９７】
図９に見られるように、ステップＳ１０３におけるサブミッションは、ＯＦＲなどの既存のメッセージ、または新しいＤｉａｍｅｔｅｒメッセージのいずれかを使用する。ＳＭＳ−ＧＭＳＣ４０は、対応して、ステップＳ１０４ａにおいて、ＯＦＡなどの既存のメッセージ、または新しいＤｉａｍｅｔｅｒメッセージを使用してメッセージに肯定応答する。
【００９８】
保留中のＳＭは、ステップＳ１０５のＴＦＲ中でＳＭＳ−ＧＭＳＣ４０によって配信され、ＭＭＥ２  ３０は、それに応じてステップＳ１０６ａにおいてＴＦＡを用いて配信に肯定応答する。
【００９９】
図１０は、図９を参照して前に論じたものに関係する、ＳＭＳ−ＧＭＳＣ４０からＵＥ１０へのＭＴ  ＳＭの配信を可能にする、本発明の一実施形態を例示する。
【０１００】
しかしながら、この特定の実施形態では、ＳＭ配信のためのＵＥ利用可能性を示すメッセージは、ＭＭＥ１  ２０によってＨＳＳ５０を介してＳＭＳ−ＧＳＭＣ４０に送られる。
【０１０１】
第１のステップＳ１０１ａにおいて、ＭＭＥ１  ２０は、ＵＥ１０にＳＭが配信されることになるという指示を、最大再送信時間を含むＴＦＲの形態でＳＭＳ−ＧＭＳＣ４０から受信し、最大再送信時間は、ＳＭがすぐに配信され得ない場合、ＳＭＳ−ＧＭＳＣ４０がどのくらいの時間の間ＳＭを記憶することになるかを示し、ＭＭＥ１  ２０は、さらに、ＳＭＳ−ＧＭＳＣ４０が、ＳＭを配信するためのＵＥ利用可能性の後続の通知を受信することをサポートするかどうかを示す能力指示を受信する。
【０１０２】
その後に、ステップＳ１０１ｂにおいて、ＭＭＥ１  ２０は、要求される再送信時間、すなわち、ＵＥ１０が現在ｅＤＲＸモードにあるので、ＳＭがＳＭＳ−ＧＭＳＣ４０によって再送信されなければならない時間を示すＴＦＡを用いて応答する。ＴＦＡは、ＵＥ１０がｅＤＲＸモードを出るとき、ＭＭＥ１が、ＳＭを配信するためのＵＥ利用可能性の後続の通知をサポートするかどうかをさらに示す。
【０１０３】
ページングオケージョンが発生する前に、たとえば、ＭＭＥ２  ３０へのＴＡＵ、ＲＡＵ、または一般的なサービス要求などについてのステップＳ１０２ａにおけるＮＡＳ要求の結果として、ＵＥ１０がｅＤＲＸモードを出た場合、ＭＭＥ１  ２０は、それに応じてステップＳ１０２ｂにおいて（今、サービングＭＭＥである）ＭＭＥ２  ３０からコンテキスト要求の形態の通知を受信することになる。
【０１０４】
この結果として、ＭＭＥ１  ２０は、ステップＳ１０２ｃにおいて、ＳＭが配信されることになるという指示を含むコンテキスト応答をＭＭＥ２  ３０にサブミットする。それに応答して、ＭＭＥ２  ３０は、ステップＳ１０２ｄにおいてＭＭＥ１  ２０に、ＭＭＥ２  ３０の宛先アドレスを含むコンテキスト肯定応答を送信する。
【０１０５】
ステップＳ１０３ｂにおいて、ＭＭＥ１  ２０は、ＵＥ１０がＳＭの即時配信のために利用可能であることを示すメッセージを、ＨＳＳ５０を介してＳＭＳ−ＧＭＳＣ４０にサブミットする。メッセージは、たとえばＵＬＲまたはＮＯＲの形態でサブミットされ得、ＳＭＳ−ＧＭＳＣ４０にＭＭＥ２  ３０の宛先アドレスを後で提供させるためのＨＳＳ５０への命令を含む。
【０１０６】
ＨＳＳ５０は、それに応じて、ステップＳ１０３ｃにおいて、たとえばＵＬＡまたはＮＯＡの形態の肯定応答を用いて応答し、ステップＳ１０３ｄにおいて、ＡＬＲ中で、ＵＥ利用可能性とＭＭＥ２  ３０のアドレスとを示すメッセージを送る。ＳＭＳ−ＧＭＳＣ４０は、こうして、ステップＳ１０３ｅにおいてＨＳＳ５０に肯定応答（ＡＬＡ）を送る。
【０１０７】
随意に、Ｓ１０３ｂおよびＳ１０３ｄにおけるメッセージは、最大ＵＥ利用可能性時間、すなわち、ＵＥ１０がｅＤＲＸモードに再び入るまでの時間を指定する時間期間を含み、それによって、有利なことに、その間にＵＥ１０がＳＭ配信のために利用可能になる時間ウィンドウを示す。
【０１０８】
ＳＭＳ−ＧＭＳＣ４０は、有利なことに、ステップＳ１０５において正しいＭＭＥに、すなわちＭＭＥ２  ３０に、さらに現在ｅＤＲＸモードにないＵＥ１０上にＳＭを配信することになり、ＭＭＥ２  ３０は、それに応じてステップＳ１０６ａにおいてＴＦＡを用いて配信に肯定応答する。
【０１０９】
図１１を参照すると、本発明の実施形態によるモビリティ管理ノード２０、３０によって実施される方法のステップは、実際には、ランダムアクセスメモリ（ＲＡＭ）、フラッシュメモリまたはハードディスクドライブなど、マイクロプロセッサに関連付けられた好適な記憶媒体２３、３３にダウンロードされたコンピュータプログラム２２、３２を実行するように構成された１つまたは複数のマイクロプロセッサの形態で具現化された処理ユニット２１、３１によって実施される。処理ユニット２１、３１は、コンピュータ実行可能命令を含む適切なコンピュータプログラム２２、３２が、記憶媒体２３、３３にダウンロードされ、処理ユニット２１、３１によって実行されるとき、コンピューティングデバイス２０、３０に本発明の実施形態による方法を行わせるように構成される。記憶媒体２３、３３は、コンピュータプログラム２２、３２を含むコンピュータプログラム製品でもあり得る。代替的に、コンピュータプログラム２２、３２は、デジタル多用途ディスク（ＤＶＤ）またはメモリスティックなど、好適なコンピュータプログラム製品によって、記憶媒体２３、３３に転送され得る。さらなる代替として、コンピュータプログラム２２、３２は、ネットワーク経由で記憶媒体２３、３３にダウンロードされ得る。処理ユニット２１、３１は、代替的に、デジタル信号プロセッサ（ＤＳＰ）、特定用途向け集積回路（ＡＳＩＣ）、フィールドプログラマブルゲートアレイ（ＦＰＧＡ）、複合プログラマブル論理デバイス（ＣＰＬＤ）などの形態で具現化され得る。
【０１１０】
図１２は、モバイル端末へのＭＴ  ＳＭの配信を可能にするように設定された、本発明の一実施形態による、第１のモビリティ管理ノード２０を例示する。モビリティ管理ノード２０は、ＳＭが配信されることになるという指示をＳＭＳ−ＧＭＳＣから受信するように適応された受信手段２４と、ページングオケージョンが発生する前にモバイル端末がｅＤＲＸモードを出たという通知を受信するように適応された受信手段２５と、通知に応答して、モバイル端末がＳＭの配信のために利用可能であることをＳＭＳ−ＧＭＳＣに示すメッセージをサブミットするように適応されたサブミット手段２６とを含む。
【０１１１】
手段２４〜２６は、情報を受信および提供するための通信インターフェースと、さらにデータを記憶するためのローカルストレージとを備え得、（図１１に関連して与えられた説明に類似して）ＲＡＭ、フラッシュメモリまたはハードディスクドライブなど、マイクロプロセッサに関連付けられた好適な記憶媒体にダウンロードされたコンピュータプログラムを実行するように構成された１つまたは複数のマイクロプロセッサの形態で具現化されたプロセッサによって実装され得る。
【０１１２】
図１２は、モバイル端末へのＭＴ  ＳＭの配信を可能にするように設定された、本発明の一実施形態による、第２のモビリティ管理ノード３０を例示する。モビリティ管理ノード３０は、ページングオケージョンが発生する前にモバイル端末がｅＤＲＸモードを出たという通知を受信するように適応された受信手段３４と、通知が受信される前にモバイル端末がそれによってサーブされた別のモビリティ管理ノードにコンテキスト要求をサブミットするように適応されたサブミット手段３５と、ＳＭが配信されることになるという指示、およびＳＭを配信するＳＭＳ−ＧＭＳＣの宛先アドレスを含むコンテキスト応答を前記別のモビリティ管理ノードから受信するように適応された受信手段３６と、コンテキスト応答に応答して、モバイル端末がＳＭの配信のために利用可能であることをＳＭＳ−ＧＭＳＣに示すメッセージをサブミットするように適応されたサブミット手段３７とを含む。
【０１１３】
手段３４〜３７は、情報を受信および提供するための通信インターフェースと、さらにデータを記憶するためのローカルストレージとを備え得、（図１１に関連して与えられた説明に類似して）ＲＡＭ、フラッシュメモリまたはハードディスクドライブなど、マイクロプロセッサに関連付けられた好適な記憶媒体にダウンロードされたコンピュータプログラムを実行するように構成された１つまたは複数のマイクロプロセッサの形態で具現化されたプロセッサによって実装され得る。
【０１１４】
上で説明したいくつかの実施形態は、以下の様式で要約され得る。
【０１１５】
第１の実施形態は、現在拡張アイドルモード間欠受信（ｅＤＲＸ）モードにあるモバイル端末へのモバイル着信（ＭＴ）ショートメッセージ（ＳＭ）の配信を可能にするモビリティ管理ノードの方法を対象とする。
【０１１６】
本方法は、
ＳＭが配信されることになるという指示をショートメッセージサービスゲートウェイモバイルスイッチングセンター（ＳＭＳ−ＧＭＳＣ）から受信することと、
ページングオケージョンが発生する前にモバイル端末がｅＤＲＸモードを出たという通知を受信することと、
通知に応答して、モバイル端末がＳＭの配信のために利用可能であることをＳＭＳ−ＧＭＳＣに示すメッセージをサブミットすることと
を含む。
【０１１７】
前記メッセージが、ＳＭＳ−ＧＭＳＣに直接サブミットされ得る。
【０１１８】
前記メッセージが、ホームサブスクリプションサーバ（ＨＳＳ）を介してＳＭＳ−ＧＭＳＣにサブミットされ得る。
【０１１９】
ＨＳＳを介してＳＭＳ−ＧＭＳＣにサブミットされるメッセージが、ＳＭＳ−ＧＭＳＣにモビリティ管理の宛先アドレスを提供させるためのＨＳＳへの命令をさらに備え得る。
【０１２０】
通知が、モバイル端末から受信される非アクセス層（ＮＡＳ）要求であり得る。
【０１２１】
本方法は、モバイル端末への配信のためのＳＭをＳＭＳ−ＧＭＳＣから受信することをさらに備え得る。
【０１２２】
通知が、モバイル端末のサービングモビリティ管理ノードから受信されるコンテキスト要求であり得、本方法は、ＳＭが配信されることになるという指示を含むコンテキスト応答をサービングモビリティ管理ノードにサブミットすることと、ＳＭ配信のためのサービングモビリティ管理ノードの宛先アドレスを含むコンテキスト肯定応答をサービングモビリティ管理ノードから受信することとをさらに備え得、前記サブミットされるメッセージが、サービングモビリティ管理ノードの宛先アドレスをさらに含む。
【０１２３】
通知が、モバイル端末のサービングモビリティ管理ノードから受信されるコンテキスト要求であり得、前記メッセージが、コンテキスト応答中でサービングモビリティ管理ノードを介してＳＭＳ−ＧＳＭＣにサブミットされ、ＳＭＳ−ＧＳＭＣの宛先アドレスをさらに含む。
【０１２４】
ＳＭが配信されることになるというＳＭＳ−ＧＭＳＣからの指示の受信することは、
ＳＭがすぐに配信され得ない場合、ＳＭＳ−ＧＭＳＣがどのくらいの時間の間ＳＭを記憶することになるかを指定する最大再送信時間の指示と、ＳＭＳ−ＧＭＳＣが、ＳＭを配信するためのモバイル端末利用可能性の後続の通知を受信することをサポートするかどうかを示す能力指示とを受信すること
を備え得、本方法は、
ＳＭがどの時点においてＳＭＳ−ＧＭＳＣによって再送信されなければならないかを示す要求される再送信時間と、モビリティ管理ノードが、ＳＭを配信するためのモバイル端末利用可能性の後続の通知をサポートするという能力確認とを含む指示をＳＭＳ−ＧＭＳＣにサブミットすること
をさらに備え得る。
【０１２５】
第２の実施形態は、現在拡張アイドルモード間欠受信（ｅＤＲＸ）モードにあるモバイル端末へのモバイル着信（ＭＴ）ショートメッセージ（ＳＭ）の配信を可能にするモビリティ管理ノードの方法を対象とする。
【０１２６】
本方法は、
ページングオケージョンが発生する前にモバイル端末がｅＤＲＸモードを出たという通知を受信することと、
通知が受信される前にモバイル端末がそれによってサーブされた別のモビリティ管理ノードにコンテキスト要求をサブミットすることと、
ＳＭが配信されることになるという指示を含むコンテキスト応答を前記別のモビリティ管理ノードから受信することと、
モバイル端末への配信のためのＳＭをＳＭＳ−ＧＭＳＣから受信することと
を含む。
【０１２７】
前記メッセージが、ＳＭＳ−ＧＭＳＣに直接サブミットされ得る。
【０１２８】
前記メッセージが、ホームサブスクリプションサーバ（ＨＳＳ）を介してＳＭＳ−ＧＭＳＣにサブミットされ得、ＨＳＳを介してＳＭＳ−ＧＭＳＣにサブミットされるメッセージが、ＳＭＳ−ＧＭＳＣにモビリティ管理の宛先アドレスを提供させるためのＨＳＳへの命令をさらに含む。
【０１２９】
サブミットされる前記メッセージは、モバイル端末がｅＤＲＸモードに再び入るまでの時間を指定する時間期間をさらに示す。
【０１３０】
別の実施形態は、現在拡張アイドルモード間欠受信（ｅＤＲＸ）モードにあるモバイル端末へのモバイル着信（ＭＴ）ショートメッセージ（ＳＭ）の配信を可能にするように設定されたモビリティ管理ノードであって、処理ユニットと、前記処理ユニットによって実行可能な命令を含んでいるメモリとを備え、
ＳＭが配信されることになるという指示をショートメッセージサービスゲートウェイモバイルスイッチングセンター（ＳＭＳ−ＧＭＳＣ）から受信することと、
ページングオケージョンが発生する前にモバイル端末がｅＤＲＸモードを出たという通知を受信することと、
通知に応答して、モバイル端末がＳＭの配信のために利用可能であることをＳＭＳ−ＧＭＳＣに示すメッセージをサブミットすることと
を行うように動作可能である、モビリティ管理ノードを対象とする。
【０１３１】
モビリティ管理ノードが、ＳＭＳ−ＧＭＳＣにメッセージを直接サブミットするように動作可能であり得る。
【０１３２】
モビリティ管理ノードが、ホームサブスクリプションサーバ（ＨＳＳ）を介してＳＭＳ−ＧＭＳＣにメッセージをサブミットするように動作可能であり得る。
【０１３３】
モビリティ管理ノードが、ＨＳＳを介してＳＭＳ−ＧＭＳＣにサブミットされるメッセージ中でＳＭＳ−ＧＭＳＣにモビリティ管理の宛先アドレスを提供させるためのＨＳＳへの命令を含むようにさらに動作可能であり得る。
【０１３４】
通知が、モバイル端末から受信される非アクセス層（ＮＡＳ）要求であり得る。
【０１３５】
通知が、モバイル端末のサービングモビリティ管理ノードから受信されるコンテキスト要求であり得、モビリティ管理ノードは、
ＳＭが配信されることになるという指示を含むコンテキスト応答をサービングモビリティ管理ノードにサブミットすることと、
ＳＭ配信のためのサービングモビリティ管理ノードの宛先アドレスを含むコンテキスト肯定応答をサービングモビリティ管理ノードから受信することとを行うようにさらに動作可能であり、前記サブミットされるメッセージが、サービングモビリティ管理ノードの宛先アドレスをさらに含む。
【０１３６】
通知が、モバイル端末のサービングモビリティ管理ノードから受信されるコンテキスト要求であり得、モビリティ管理ノードは、コンテキスト応答中でサービングモビリティ管理ノードを介してＳＭＳ−ＧＳＭＣにメッセージをサブミットし、さらにＳＭＳ−ＧＳＭＣの宛先アドレスを含めるようにさらに動作可能である。
【０１３７】
モビリティ管理ノードは、ＳＭが配信されることになるという指示をＳＭＳ−ＧＭＳＣから受信するとき、
ＳＭがすぐに配信され得ない場合、ＳＭＳ−ＧＭＳＣがどのくらいの時間の間ＳＭを記憶することになるかを指定する最大再送信時間の指示と、ＳＭＳ−ＧＭＳＣが、ＳＭを配信するためのモバイル端末利用可能性の後続の通知を受信することをサポートするかどうかを示す能力指示とを受信することと、
ＳＭがどの時点においてＳＭＳ−ＧＭＳＣによって再送信されなければならないかを示す要求される再送信時間と、モビリティ管理ノードが、ＳＭを配信するためのモバイル端末利用可能性の後続の通知をサポートするという能力確認とを含む指示をＳＭＳ−ＧＭＳＣにサブミットすることと
を行うようにさらに動作可能であり得る。
【０１３８】
別の実施形態は、現在拡張アイドルモード間欠受信（ｅＤＲＸ）モードにあるモバイル端末へのモバイル着信（ＭＴ）ショートメッセージ（ＳＭ）の配信を可能にするように設定されたモビリティ管理ノードであって、処理ユニットと、前記処理ユニットによって実行可能な命令を含んでいるメモリとを備え、
ページングオケージョンが発生する前にモバイル端末がｅＤＲＸモードを出たという通知を受信することと、
通知が受信される前にモバイル端末がそれによってサーブされた別のモビリティ管理ノードにコンテキスト要求をサブミットすることと、
ＳＭが配信されることになるという指示を含むコンテキスト応答を前記別のモビリティ管理ノードから受信することと、
モバイル端末への配信のためのＳＭをＳＭＳ−ＧＭＳＣから受信することと
を行うように動作可能である、モビリティ管理ノードを対象とする。
【０１３９】
モビリティ管理ノードが、ＳＭＳ−ＧＭＳＣに前記メッセージを直接サブミットするようにさらに動作可能であり得る。
【０１４０】
モビリティ管理ノードは、ホームサブスクリプションサーバ（ＨＳＳ）を介してＳＭＳ−ＧＭＳＣに前記メッセージをサブミットするようにさらに動作可能であり得、ＨＳＳを介してＳＭＳ−ＧＭＳＣにサブミットされるメッセージが、ＳＭＳ−ＧＭＳＣにモビリティ管理の宛先アドレスを提供させるためのＨＳＳへの命令をさらに含む。
【０１４１】
モビリティ管理ノードは、モバイル端末がｅＤＲＸモードに再び入るまでの時間を指定する時間期間を前記サブミットされたメッセージ中に含めるようにさらに動作可能であり得る。
【０１４２】
別の実施形態は、コンピュータ実行可能命令がデバイス中に含まれる処理ユニット上で実行されるとき、デバイスに、第１の実施形態に記載のステップを実施させるためのコンピュータ実行可能命令を含む第１のコンピュータプログラムを対象とする。
【０１４３】
別の実施形態は、コンピュータ可読媒体を備えるコンピュータプログラム製品であって、コンピュータ可読媒体が、第１のコンピュータプログラムをその上に組み込む、コンピュータプログラム製品を対象とする。
【０１４４】
別の実施形態は、コンピュータ実行可能命令がデバイス中に含まれる処理ユニット上で実行されるとき、デバイスに、上で要約した第２の実施形態に記載のステップを実施させるためのコンピュータ実行可能命令を含む第２のコンピュータプログラムを対象とする。
【０１４５】
別の実施形態は、コンピュータ可読媒体を備えるコンピュータプログラム製品であって、コンピュータ可読媒体が、第２のコンピュータプログラムをその上に組み込む、コンピュータプログラム製品を対象とする。
【０１４６】
本発明を、主に数個の実施形態を参照して上で説明してきた。しかしながら、当業者によって直ちに認識されるように、上で開示した実施形態以外の実施形態も、付属の特許請求項によって規定される本発明の範囲内で等しく可能である。
【図１】
2020065266.tif 000003
【図２】
2020065266.tif 000004
【図３】
2020065266.tif 000005
【図４】
2020065266.tif 000006
【図５】
2020065266.tif 000007
【図６】
2020065266.tif 000008
【図７】
2020065266.tif 000009
【図８】
2020065266.tif 000010
【図９】
2020065266.tif 000011
【図１０】
2020065266.tif 000012
【図１１】
2020065266.tif 000013
【図１２】
2020065266.tif 000014
【外国語明細書】
2020065266000001.pdf